(57)【要約】【課題】  容器体内に収納した消火材を消火装置の周囲に均一に飛散させ、消火装置から離れた発火個所にも消火材が充分に行き渡って確実に火を消すことができるようにした消火装置を提供する。【解決手段】  消火材を収容する容器体２と、熱を感知して前記容器体を破壊する熱動体３で構成した消火装置１であって、前記容器体２を、弾性素材を押出し成型によってチューブ状に形成したもので構成してあり、また前記容器体２を伸縮しにくい素材で形成した例えばメッシュ状の保形部材１１によって被覆したもので構成した。【選択図】  図８
2008022884.tif 000002
【特許請求の範囲】
【請求項１】
消火材を収容する容器体と、熱を感知して前記容器体を破壊する熱動体で構成した消火装置であって、前記容器体を、弾性素材を押出し成型によってチューブ状に形成したもので構成してなる消火装置。
【請求項２】
前記容器体を略円形状に配設してなる請求項１に記載の消火装置。
【請求項３】
前記容器体の内部を陽圧に保持してなる請求項１に記載の消火装置。
【請求項４】
前記容器体の内部に消火材とともに気体を収納してなる請求項１に記載の消火装置。
【請求項５】
前記容器体を伸縮しにくい素材で形成した保形部材によって被覆してなる請求項１に記載の消火装置。
【請求項６】
前記保形部材をメッシュ状に構成してなる請求項５に記載の消火装置。
【請求項７】
前記弾性素材をシリコーン系樹脂素材で構成してなる請求項１に記載の消火装置。
【請求項８】
前記熱動体を、６０℃乃至９０℃で溶融する溶融部材で構成したストッパと、同ストッパに係止されかつ係止解放時に前記容器体を破壊するように動く破壊部材で構成してなる請求項１に記載の消火装置。
【請求項９】
前記溶融部材をハンダ材で構成してなる請求項８に記載の消火装置。
【請求項１０】
前記破壊部材を針状材で構成してなる請求項８に記載の消火装置。
【発明の詳細な説明】
【技術分野】
【０００１】
本発明は、不意の発火を感知して自動的に消火動作に移行するようになっている消火装置に関し、より詳しくは、消火材を広範囲に、かつ均一に飛散させることができるように構成した消火装置に関する。
【背景技術】
【０００２】
消火装置には、例えば、特許文献１に開示される構成のものがあって、この消火装置は、ごみ箱などのごみ投入口に消火材を収納した容器体を設置し、ごみが発火した際、容器体が発火による炎の熱によって破壊され、容器体内に収納する消火材が放出されるようになっている。
【０００３】
従来の消火装置は、消火材を収容する容器体を弾性のある燃焼可能なフィルム部材、例えばセロファンやプラスチックフィルムまたエマルジョンやラテックス素材のフィルムから形成し、この容器体内に消火材と空気を収納している。
【０００４】
そして、この消火材と空気を収納した容器体をごみ箱などのごみ投入口に設置し、ごみ箱内のごみが発火した際、発火による炎によってこの容器体を炎の熱で溶融し、この溶融によって開いた孔から容器体内に収納する消火材を容器体外に放出し、炎を消する構成になっている。
【０００５】
しかしながら、消火材が容器体外へ放出される状態においては、消火装置の容器体が炎によって溶融した瞬間にこの容器体内の消火材が勢いよく放出されて一瞬周囲に飛散するが、その後は、容器体の溶融した孔から消火材が下方に流下するように放出される。
【０００６】
したがって容器体の溶融した孔の直下の炎は流下した消火材によって消火されるが、孔の直下から離れた所の炎は、容器体が炎によって溶融した瞬間に飛散する消火材によって消火できなければその後も燃え続けてしまうことがある。
【０００７】
このため、消火装置を大きなごみ箱に設置する場合は多数の消火装置を設置しなければならず、経済性に欠けるものであった。
【０００８】
また、容器体内に収納された消火材の殆どが袋の溶融した孔の直下に流下するため、特に消火材に液体を使用した場合は、この消火液の放出後、消火装置を設置した部材が非密閉の容器体であると、この容器体から消火材が漏れ出すおそれもあった。
【０００９】
【特許文献１】特開２００４−３０５２２９号公報（第１〜７頁、第１〜７図）
【発明の開示】
【発明が解決しようとする課題】
【００１０】
本発明は、容器体内に収納した消火材を消火装置の周囲に均一に飛散させ、消火装置から離れた発火個所にも消火材が充分に行き渡って確実に火を消すことができるようにした消火装置を提供することを目的としている。
【課題を解決するための手段】
【００１１】
上述した課題を解決するために、本発明に係る消火装置は、消火材を収容する容器体と、熱を感知して前記容器体を破壊する熱動体で構成した消火装置であって、前記容器体を、弾性素材を押出し成型によってチューブ状に形成したもので構成してある。
【００１２】
さらに、前記容器体を略円形状に配設したり、また、前記容器体の内部を陽圧に保持したり、容器体の内部に消火材とともに気体を収納したりした構成のものとしてある。
【００１３】
また前記容器体を伸縮しにくい素材で形成した保形部材によって被覆したものとしてある。また、保形部材をメッシュ状に構成したものとしてある。
さらに、前記弾性素材をシリコーン系樹脂素材で構成したものとしてある。
【００１４】
さらに、前記熱動体を、６０℃乃至９０℃で溶融する溶融部材で構成したストッパと、同ストッパに係止されかつ係止解放時に前記容器体を破壊するように動く破壊部材で構成したものとしてある。
【００１５】
また前記溶融部材をハンダ材や針状材で構成したものとしてある。
【発明の効果】
【００１６】
本発明の消火装置によれば、本消火装置を例えばごみ箱内の上部に設置することにより、ごみ箱内のごみが何らかの原因で発火あるいは燻ったりすると、この発火や燻りによる熱が、ごみ箱の上方部に設置した消火装置の熱動体における溶融部材から構成されたストッパに作用し、このストッパ（溶融部材）の温度が発火や燻りによる熱によって６０℃乃至９０℃に達すると、この熱によってストッパ（溶融部材）が溶けて破壊部材の係止が解放され、予め弾発力が付与された破壊部材が、弾性復元力によってシリコーン系樹脂素材から形成された容器体の方向に動いて衝突する。この衝突によってシリコーン系樹脂素材から形成された容器体の表面が裂け、容器体の内部に収納した消火材が瞬時にして外部に放出される。
【００１７】
この容器体内の消火材の外部への放出は、同容器体に生じた裂け目から消火材が一瞬にして高内圧の容器体内から常圧のごみ箱内に瞬時に押し出されるように放出されるので、消火材をごみ箱内の広範囲に飛散させることができ、ごみ箱内の広範囲を均一に消火できる。
【００１８】
また、飛散によってごみ箱内に充満した消火材は順次燃えているごみに降りかかるので、最後の消火材が落下するまで消火作用が持続される。
【００１９】
そして、消火材を収容する容器体をシリコーン系樹脂素材を押出し成型によってチューブ状に形成しているので、このシリコーン系樹脂素材の押出し成型時におけるチューブにかかる応力がチューブの長手方向となり、したがって押出し成型によって形成されたこのチューブ状の容器体にかかる応力は容器体の長手方向、すなわちシリコーン系樹脂素材の押し出し方向になることにより、前述の破壊部材によって容器体の表面に孔が開いた場合、その孔は容器体の成型時にかかった応力の方向に広がろうとして、孔を基点に、シリコーン系樹脂素材からなるチューブ状の容器体の長手方向に対しその両端方向に向かって直線状に裂け目が入り、かつその裂け目は一瞬にしてチューブ状の容器体の両端まで入る。
【００２０】
これにより、容器体に収納されている消火材は一瞬にして、かつチューブ状の容器体における長手方向の幅とほぼ同じ幅をもってこの容器体に生じた裂け目から容器体の外部に放出されるので、消火材放出の際に同消火材を均一に、かつ広範囲に飛散させることができる。
【００２１】
また、消火材が収容される容器体を伸縮しにくい素材で形成した保形部材によって被覆することにより、容器体に消火材を注入する際、注入された消火材が容器体の一所に溜まって容器体の一部が膨らむようなことがなく、消火材を容器体にスムースに注入することができる。
【００２２】
そして、消火材を注入した容器体の保管時や容器体の運搬時においても、この保形部材によって容器体の表面と梱包材などの部材との直接接触を防止するため、容器体の保管や運搬の際にこの容器体の破裂を防止することができる。
【００２３】
さらには、この保形部材をメッシュ状に形成することにより、消火材が注入された容器体をそのまま消火装置にセットすることができる。
【００２４】
すなわち、消火装置が取り付けられたごみ箱内で発火や燻ぶりが生じた際、熱動体に有する破壊部材が消火材を収納する容器体を破壊するために動いた時でも、容器体を被覆する保形部材がメッシュ状になっているので、破壊部材の破壊部がメッシュの目を通過して容器体の表面に衝突できる。
【００２５】
また、容器体を伸縮しにくい素材で形成した保形部材によって被覆したまま消火装置にセットすることによって消火材が容器体の下方へ垂れ下がるのを防止でき、したがって消火材が偏在することなく容器体に収容され、消火材放出時に消火材をより均一に放出できる。
【００２６】
上述のことから、本発明の消火装置は、消火材を収容する容器体を、シリコーン系樹脂素材を押出し成型によってチューブ状に形成しているので、従来の消火装置のように放出した消火材の殆どが放出部の開口直下に流下するようなことがなく、消火材をごみ箱の広範囲に、かつ均一に飛散させることができるので、消火装置を大きなごみ箱に設置する場合も、従来に比して消火装置の設置数を減らすことも可能となる。
【００２７】
また、このチューブ状の容器体を円形に設置することによって消火装置が作動した際、同チューブ状の容器体の長手方向に対しその前後方向に裂け目が入るので、消火材が容器体の内外方向に円形状に広がって飛散することから、消火材の拡散を均等にできる。
【００２８】
さらに、消火材が液体から構成された消火液においても、消火液を収容する容器体が一瞬に、かつチューブ状の容器体における長手方向の幅とほぼ同じ幅で消火液が高内圧の容器体内から常圧のごみ箱内に瞬時に押し出されるように放出されるので、放出された消火液は粒状となりまた消火液がごみ箱の広範囲に均一に飛散するため、この放出された消火液はごみ箱内のごみに付着あるいは吸収されて、消火装置を設置した部材が非密閉の容器体であってもこの容器体からの消火液の漏れもなく、容器体を設置した床面を汚すおそれがない。
【発明を実施するための最良の形態】
【００２９】
以下、本発明の消火装置を添付図面に基づいて説明する。
図１は、本発明に係る消火装置の一例を示す概略構造図であり、１は消火装置、２はシリコーン系樹脂素材を原料に押出し成型によって薄厚のチューブ状に形成した消火材を収容する容器体、２ａはチューブ状の容器体２の開口を閉じている閉口部材である。また、容器体２はセットする消火装置１の本体形状によって適宜にその径や長さが決められる。図４に消火材が注入された容器体２の一例を示している。
【００３０】
３は６０℃乃至９０℃の熱を感知することによって容器体２を破壊するように作動する熱動体で、４は６０℃乃至９０℃の熱を感知するまで容器体２の破壊動作を抑止するための溶融部材であるハンダで形成されたストッパ、５は容器体２に孔を開けるための針、６は針５を容器体２方向に移動させるための可動アーム、７は可動アーム６の支持軸、８は可動アーム６を素早く容器体２方向に移動させるためのスプリングである。そして、９は容器体２および熱動体３部を支持する支持部材であり、この支持部材９の上面が、例えばごみ箱の天井面への装着面となる。
【００３１】
また、容器体２に収容する消火材は、炎を消すことができるものであれはよく、例えば液状体の消火材としては水を用いたり、また粉末体の消火材としてはリン酸アンモニウムを主原料とした粉末体を用いたり、さらに消火装置が密閉された所や通風の無い所に設置されるのであれば消火材として消火可能な気体を用いてもよい。
【００３２】
ストッパ４を形成するための溶融部材としては、６０℃乃至９０℃の熱によって溶ける部材であればよく、例えば本実施例で示すハンダや適宜の樹脂素材を用いてもよい。
【００３３】
この消火装置１の動作は、消火装置１を例えばごみ箱（図示は省略）内の上部に設置した場合は、ごみ箱内のごみが何らかの原因で発火あるいは燻ったりすると、この発火や燻りによる熱がごみ箱内の上部に設置した消火装置１の熱動体３におけるハンダで構成されたストッパ４に作用し、図２のように、このストッパ４の温度が発火や燻りによる熱によって６０℃乃至９０℃に達するとこの熱によってハンダからなるストッパ４が溶け、このストッパ４が溶けたことによって可動アーム６の動作抑止が解放され、針５を取り付けた可動アーム６が支持軸７を支点としてスプリング８の復元力によって強くかつ素早くシリコーン系樹脂素材から形成された容器体２の方向に移動し、可動アーム６先端の針５がシリコーン系樹脂素材から形成された容器体２の底面表皮に衝突するとともにこの表皮を貫く。
【００３４】
この針５の貫通によって破壊されたシリコーン系樹脂素材から形成された容器体２は、図３のように、針５の貫通による破壊部５ｂから容器体２の長手方向、すなわち容器体の押出し成型時における押出し方向に沿って両端方向に向い直線状に一気に裂け（裂け目１０）、容器体２の内部に収納した消火材が瞬時にこの裂け目１０から周囲に飛散する。
【００３５】
また、熱動体３は、図５のような構造にする場合もあり、これは針５ａとスプリング部８ａを有したピン部材から構成したもので、３ａは熱動体、３ｂは熱動体３ａを消火材を収納した容器体２を支持する支持部材や消火材を収納した容器体２を収容する筐体などに取り付けるためのねじ装着部、３ｃはスプリング部８ａに弾発力が生じるようにするためのピン部材の係止部、４ａは６０℃乃至９０℃の熱を感知するまで容器体２（図示は省略）の破壊動作を抑止するための溶融部材であるハンダから形成されたストッパ、５ａは容器体２に孔を開けるための針、６ａは針５ａを容器体２（図示は省略）方向に移動させるためのピン部材のアーム部、７ａはピン部材のスプリング部８ａの開口（図示は省略）に遊貫されたピン部材の取り付け具、８ａはアーム部６ａを素早く容器体２（図示は省略）方向に移動させるためのスプリング部である。
【００３６】
図５における熱動体３ａの状態は、熱動体３ａのハンダから形成されたストッパ４ａによってピン部材におけるスプリング部８ａの弾発力によるアーム部６ａの容器体２（図示は省略）方向への移動が抑止されている状態を示すものである。
【００３７】
図６における熱動体３ａの状態は、ハンダから形成されたストッパ４ａの温度が発火や燻りによる熱によって６０℃乃至９０℃に達し、この熱によってハンダからなるストッパ４ａが溶け、このストッパ４ａが溶けたことによってピン部材のアーム部６ａの動作抑止が解放され、針５ａを有したアーム部６ａがスプリング部８ａを支点としてスプリング部８ａの復元力によって強くかつ素早く容器体２（図示は省略）の方向に移動した状態を示すものである。
【００３８】
そして、上述した容器体２は、図７に示すように伸縮しにくい素材で形成した保形部材たるメッシュ部材１１で被覆する場合もあり、これにより、容器体２に消火材を注入する際、注入された消火材が容器体２の一所に溜まって容器体２の一部が膨らむようなことがなくなり、消火材をスムースに容器体２に注入することができる。
【００３９】
また、このように容器体２をメッシュ部材１１で被覆することにより、消火材を注入した容器体２の保管時や容器体２の運搬時においても、このメッシュ部材１１によって容器体２の表面と梱包材などの部材との直接的な接触を防止できる。
【００４０】
図８は、メッシュ部材１１で被覆した容器体２を消火装置１にセットした図である。また、このメッシュ部材１１で被覆することにより、容器体２内に収納した消火材が容器体２の下方への垂れ下がりが防止され、容器体２内に収納された消火材が偏在しない。
したがって消火装置が作動して消火材が放出される際、容器体２内の消火材をより均一に周囲に飛散させることができる。
【００４１】
また容器体２を被覆する保形部材の他の形態としては、図では示していないが、金属などの耐熱素材をコイルスプリング状にしたり、リングを通口方向に所定の間隔を開けて連接したり、通孔が開けられたパンチング部材を断面リング状や断面Ｃ字状に形成したりする場合もある。
【００４２】
図９は、本発明に係る他の形態の消火装置を示す概略構造図である。
この図９による実施例は、金属などの耐熱素材から形成した筐体１２の前後が解放されたメッシュ部１２ａ内に、周囲を被覆していない容器体２を配設している。図１０は、図９に示した消火装置の側面図である。
【００４３】
そして筐体１２の上面が、例えばごみ箱の天井面への装着面となる。また、筐体１２のメッシュ部１２ａの下方部に熱動体３ａを配設しており、この熱動体３ａは、図５で示したものと同じ機構部を有するもので、３ｃはスプリング部８ａに弾発力が生じるようにするためのピン部材の係止部、４ａは６０℃乃至９０℃の熱を感知するまで容器体２の破壊動作を抑止するための溶融部材であるハンダから形成されたストッパ、５ａは容器体２に孔を開けるための針、６ａは針５ａを容器体２方向に移動させるためのピン部材のアーム部、７ａはピン部材のスプリング部８ａの開口に遊貫されたピン部材の取り付け具、８ａはアーム部６ａを素早く容器体２方向に移動させるためのスプリング部である。
この針５ａによる容器体２の破壊の際、針５ａは筐体１２のメッシュ部１２ａの網目を通過して容器体２に刺さる。
【００４４】
また、図１１による実施例は、図９で示した筐体１２のメッシュ部１２ａの前後解放部分をメッシュ状の部材で閉塞し、かつ熱動体３ａもメッシュ状の部材で囲繞した形態のものである。すなわち容器体２はその全体をメッシュ部１２ａ内に配置される。図１２は、図１１の消火装置の側面図である。
【００４５】
そして、消火装置１における消火材が収納された容器体２の配置例としては、図１３乃至図１５に示すような配置とする場合もある。
この図１３乃至図１５図では消火装置１の本体や容器体２を消火装置１に保持する保持部材などは省略している。図１３では一つの容器体２で円形をかたどるように配置している。また図１４および図１５では複数の容器体２で円形をかたどるように配置しており、図１４では三つの容器体２で円形をかたどり、図１５では八つの容器体２で円形をかたどっている。
【図面の簡単な説明】
【００４６】
【図１】本発明に係る消火装置の一例を示す概略構造図。
【図２】図１の消火装置における作動後の状態を示す図。
【図３】作動後の容器体底面を示す図。
【図４】消火材が注入された容器体の一例を示す斜視図。
【図５】熱動体の他の一例を示す概略構造図。
【図６】図５の熱動態における作動後の状態を示す図。
【図７】メッシュ部材で被覆した容器体を示す斜視図。
【図８】図５の熱動体を配設しかつメッシュ部材で被覆した容器体をセットした消火装置を示す図。
【図９】本発明に係る他の形態の消火装置を示す概略構造図。
【図１０】図９の消火装置の側面図。
【図１１】本発明に係る他の形態の消火装置を示す概略構造図。
【図１２】図１１の消火装置の側面図。
【図１３】容器体の配置例を示す図。
【図１４】容器体の配置例を示す図。
【図１５】容器体の配置例を示す図。
【符号の説明】
【００４７】
１  消火装置
２  容器体
２ａ  閉口部材
３  熱動体
３ａ  熱動体
３ｂ  ねじ装着部
３ｃ  係止部
４  ストッパ
４ａ  ストッパ
５  針
５ａ  針
５ｂ  破壊部
６  可動アーム
６ａ  アーム部
７  支持軸
７ａ  取り付け具
８  スプリング
８ａ  スプリング部
９  支持部材
１０  裂け目
１１  メッシュ部材
１２  筐体
１２ａ  メッシュ部
【図１】
2008022884.tif 000003
【図２】
2008022884.tif 000004
【図３】
2008022884.tif 000005
【図４】
2008022884.tif 000006
【図５】
2008022884.tif 000007
【図６】
2008022884.tif 000008
【図７】
2008022884.tif 000009
【図８】
2008022884.tif 000010
【図９】
2008022884.tif 000011
【図１０】
2008022884.tif 000012
【図１１】
2008022884.tif 000013
【図１２】
2008022884.tif 000014
【図１３】
2008022884.tif 000015
【図１４】
2008022884.tif 000016
【図１５】
2008022884.tif 000017